(57)【要約】      （修正有）【課題】紐材や帯状材を結ぶ等のワンタッチの作業でサイズ調整が可能で、しかも着用者の体に食い込んだりすることのない体にやさしいサイズ調整具及びこれを使用してなるサイズ調整可能な衣服を提供する。【解決手段】同形状の短冊状の基材２と表面布材３とを重ねて配置し、これらの基材と表面布材を逢着して上下方向に二つの並行した通路５ａ、５ｂを設け、これらの通路に紐材６、６ａ、６ｂ又は帯状材を配置している。そして、紐材又は帯状材の上部側を前記基材及び表面布材と一緒に逢着し、紐材又は帯状材の下部側を前記通路から外部へ導出している。サイズ調整具１の下方から導出された紐材又は帯状材を絞り上げると衣服の着丈寸法を短くすることができる。この状態で紐材又は帯状材をリボン結び等で締結すればよい。【選択図】図１
2016216867.tif 000002
【特許請求の範囲】
【請求項１】
短冊状の基材に、該基材と同形状の表面布材を重ねて配置し、これらの基材と表面布材を逢着して上下方向に二つの並行した通路を設け、これらの通路に紐材又は帯状材を配置して成り、紐材又は帯状材の上部側は前記基材及び表面布材と一緒に逢着されており、紐材又は帯状材の下部側は前記通路から外部へ導出されていることを特徴とするサイズ調整具。
【請求項２】
前記外部へ導出された紐材又は帯状材の下部側にストッパー部材がスライド自在に係止されている請求項１に記載のサイズ調整具。
【請求項３】
短冊状の基材に、該基材と同形状の表面布材を重ねて配置し、これらの基材と表面布材を逢着して上下方向に一つの通路を設け、該通路に紐材又は帯状材を配置して成り、紐材又は帯状材の上部側は前記基材及び表面布材と一緒に逢着されており、紐材又は帯状材の下部側は前記通路から外部へ導出され、該導出部分にストッパー部材がスライド自在又は位置変更自在に係止されていることを特徴とするサイズ調整具。
【請求項４】
前記基材が熱を加えると接着性を発現する材料からなる請求項１乃至３に記載のサイズ調整具。
【請求項５】
短冊状の基材に、該基材と同形状の表面布材を重ねて配置し、これらの基材と表面布材を逢着して上下方向に二つの並行した通路を設け、これらの通路に紐材又は帯状材を配置して成り、紐材又は帯状材の上部側は前記基材及び表面布材と一緒に逢着されており、紐材又は帯状材の下部側は前記通路から外部へ導出されているサイズ調整具を、衣服の脇下内側に取り付けたことを特徴とするサイズ調整可能な衣服。
【請求項６】
短冊状の基材に、該基材と同形状の表面布材を重ねて配置し、これらの基材と表面布材を逢着して上下方向に一つの通路を設け、該通路に紐材又は帯状材を配置して成り、紐材又は帯状材の上部側は前記基材及び表面布材と一緒に逢着されており、紐材又は帯状材の下部側は前記通路から外部へ導出され、該導出部分にストッパー部材がスライド自在又は位置変更自在に係止されているサイズ調整具を、衣服の脇下内側に取り付けたことを特徴とするサイズ調整可能な衣服。
【請求項７】
衣服の脇下に所定間隔ごとに表裏面を貫通する孔を設け、該孔に紐材又は帯状材を表裏面交互に行き渡るように挿通し、紐材又は帯状材の下部側にストッパー部材を係止したことを特徴とするサイズ調整可能な衣服。
【請求項８】
二枚以上の布地からなる衣服において、脇下の裏地に上下部分で二箇所の切れ目を設け、該切れ目に二本の紐材又は帯状材を配置し、これらの紐材又は帯状材どうしの間で且つ前記上下二箇所の切れ目間の範囲の二枚以上の布地を逢着し、また紐材又は帯状材の上部側を前記二枚以上の布地と一緒に逢着し、紐材又は帯状材の下部側を下部側の切れ目から外部へ導出したことを特徴とするサイズ調整可能な衣服。
【請求項９】
前記外部へ導出された紐材又は帯状材の下部側にストッパー部材がスライド自在に係止されている請求項８に記載のサイズ調整具。
【請求項１０】
二枚以上の布地からなる衣服において、脇下の裏地に上下部分で二箇所の切れ目を設け、該切れ目に一本の紐材又は帯状材を配置し、該紐材又は帯状材の上部側を前記二枚以上の布地と一緒に逢着し、紐材又は帯状材の下部側を下部側の切れ目から外部へ導出し、該導出部にストッパー部材をスライド自在又は位置変更自在に係止したことを特徴とするサイズ調整可能な衣服。
【発明の詳細な説明】
【技術分野】
【０００１】
本発明は、特に成長著しい子供達に適用できるように、着丈寸法やウェストサイズ、胸囲サイズ、ヒップサイズが変わった場合でも、これに対応して衣服の着丈等を簡易に調整することのできるサイズ調整具及びこれを使用してなるサイズ調整可能な衣服に関するものである。
【背景技術】
【０００２】
乳幼児の時期に着用させる一般的な衣服として、「つなぎ」や「おくるみ」機能を持ち合わせた２ｗａｙオール（カバーオールともいう）、寝具製品として取り扱われるスリーパー等がある。これらは、特徴として着丈が長く、全体的に大きく縫製されている。
一方、乳幼児や成長期の子供達は、身体の発育が著しく、短期間の間に身長及び体重が急激に増加する。そのため、これらの年代の子供達の親は、現在の子供の体型に合った着丈よりも、ある程度大きめの衣服を購入し、複数年を着せられるようにすることが多かった。ところが、このように現在の体型よりも大きめの衣服を購入すると、購入した現在の体型のときには衣服の方が大きいので、裾を引きずって歩き回るようになり、着ている子供自身のストレスになることがあった。また長い裾が家具等の他のものに引っかかったり、自分で裾を踏んだりして転倒するなどの危険を伴うこともあった。そのために、折角購入した衣服の着用を嫌がり、結果的に子供が成長し、サイズが合うまで保管することが多かった。若しくは、その年代の親が手縫いやミシン等でサイズ調整し着用させる等の手間があった。
また大人であっても、季節を問わずに着用する衣服については、夏場は短めのものが好ましく、冬場は長めのものが好ましいが、長めのものを購入した場合は夏場等にはストレスを感じざるを得なかった。
【０００３】
従来のこのような問題を解決する技術として、特許文献１乃至特許文献３に示すように、衣服の着丈を調整できるようにしたものがある。
特許文献１に示す技術にあっては、前身頃において、肩部、胸周り部、胴周り部のそれぞれには、テープアジャスターと呼ばれる寸法調整具を配置している。この寸法調整具は、樹脂性の環体とこれに固定された固定帯と、環体に挿通された寸法調整帯とを有する。固定帯の一端を環体に固定し、他端を試着採寸用上着の所定の位置に縫い付けている。
【０００４】
寸法調整帯は、読み取り可能な目盛りが設けられており、環体に対してスライドできて任意の位置で固定できるよう挿通し、その時の寸法を目盛りによって読み取り可能であるとともに、着用者によって容易に、かかる寸法を任意に調整して固定できる。これにより、肩幅調整、胸囲サイズ、ウェストサイズの調整及び寸法測定が可能である。
【０００５】
特許文献２に示す技術にあっては、コートの裾、上着の裾、ズボンの裾、上着の袖、スカートの裾、セータ等の被り物の裾の如く、筒状に形成した部分において、内側に帯状の内布を環状に配置し、この帯状の内布の上端のみを基布の先端に縫着固定している。  そして、この帯状の内布に、フック、面ファスナー、ドットボタン、スナップボタン、その他適宜の止着具の一方部材を配置し、この一方部材の相手方としての他方部材を基布の先端の内側下端に固定している。
基布の下端側を折り返して試着具の相手方部材を任意の位置の一方部材に試着することで、寸法調整を行うようにしている。
【０００６】
特許文献３に示す技術にあっては、着物の後身頃の内側に丈方向に離して複数形成された着丈調整用ベルト通しと、任意の段の前記着丈調整用ベルト通しに通され、着物の内側で着用者の体の前へ回して両端を互いに連結することにより前記後身頃の着丈調整用ベルト通しの位置を着用者の身体に固定する着丈調整ベルトを設けている。
前記丈方向（上下方向）に複数形成された着丈調整用ベルト通しのうちの着用者の体型に合った位置のものを選択して、着丈調整ベルトを通し、着丈を調整するようにしている。
【先行技術文献】
【特許文献】
【０００７】
【特許文献１】特開２０１５−０１０３０３号公報
【特許文献２】実用新案登録第３１９１７４３号公報
【特許文献３】特開２０１０−２２２７１９号公報
【発明の概要】
【発明が解決しようとする課題】
【０００８】
前記特許文献１に示す技術では、固定帯と、該固定帯の先端に取り付けられる環体と、環体へ挿通される寸法調整帯との三つの部材が重なり、この重なった部分が大きな凸部を形成し、幼児等の体に食い込んで不快感及び違和感を与え、また着用者の体を痛めるという欠点があった。しかも、前記重なった凸部は、着用者が転んだ時や寝返り時に体に食い込み、怪我や痛みを伴うという問題があった。
【０００９】
特許文献２等に示す技術では、サイズ調整可能とするために、帯状内布に凹部のスナップ材等を配置し、これを上下方向に複数段配置し、更に裾部分に凸部のスナップ材等を配置する必要がある。そのため、これらの多数のスナップ材等が幼児等の体に食い込んで不快感及び違和感を与えたり、身体を痛めるという問題があった。
また多数のスナップ材を使用するため、費用が高くなるという欠点もあった。
更に、裾を折り返すことで、サイズ調整をするため、裾の部分をスボンのように足をいれる部分を作ることができるようなカバーオール等の衣服では全体の着丈調整ができないという欠点があった。
【００１０】
特許文献３に示す技術では、着丈調整ベルト通しに着丈調整用ベルトを挿通して行う必要があるため、着丈が合わないときには、脱いで着丈調整用ベルトを違う段のベルト通しに通した後、再度着用する必要があり、面倒であった。更に、ベルトは着用者の体に巻き付けて使用しなければならないので、着用者窮屈な感じを与えるという問題があった。
【００１１】
本発明は、従来の前記問題点に鑑みてこれを改良除去したものであって、紐材や帯状材を結ぶ等のワンタッチの作業でサイズ調整が可能で、しかも着用者の体に食い込んだりすることのない体にやさしいサイズ調整具及びこれを使用してなるサイズ調整可能な衣服を提供せんとものである。
【課題を解決するための手段】
【００１２】
前記課題を解決するために本発明が採用した請求項１の手段は、短冊状の基材に、該基材と同形状の表面布材を重ねて配置し、これらの基材と表面布材を逢着して上下方向に二つの並行した通路を設け、これらの通路に紐材又は帯状材を配置して成り、紐材又は帯状材の上部側は前記基材及び表面布材と一緒に逢着されており、紐材又は帯状材の下部側は前記通路から外部へ導出されていることを特徴とするサイズ調整具である。
【００１３】
前記課題を解決するために本発明が採用した請求項２の手段は、前記外部へ導出された紐材又は帯状材の下部側にストッパー部材がスライド自在に係止されている請求項１に記載のサイズ調整具である。
【００１４】
前記課題を解決するために本発明が採用した請求項３の手段は、短冊状の基材に、該基材と同形状の表面布材を重ねて配置し、これらの基材と表面布材を逢着して上下方向に一つの通路を設け、該通路に紐材又は帯状材を配置して成り、紐材又は帯状材の上部側は前記基材及び表面布材と一緒に逢着されており、紐材又は帯状材の下部側は前記通路から外部へ導出され、該導出部分にストッパー部材がスライド自在又は位置変更自在に係止されていることを特徴とするサイズ調整具である。
【００１５】
前記課題を解決するために本発明が採用した請求項４の手段は、前記基材が熱を加えると接着性を発現する材料からなる請求項１乃至３に記載のサイズ調整具である。
【００１６】
前記課題を解決するために本発明が採用した請求項５の手段は、短冊状の基材に、該基材と同形状の表面布材を重ねて配置し、これらの基材と表面布材を逢着して上下方向に二つの並行した通路を設け、これらの通路に紐材又は帯状材を配置して成り、紐材又は帯状材の上部側は前記基材及び表面布材と一緒に逢着されており、紐材又は帯状材の下部側は前記通路から外部へ導出されているサイズ調整具を、衣服の脇下内側に取り付けたことを特徴とするサイズ調整可能な衣服である。
【００１７】
前記課題を解決するために本発明が採用した請求項６の手段は、短冊状の基材に、該基材と同形状の表面布材を重ねて配置し、これらの基材と表面布材を逢着して上下方向に一つの通路を設け、該通路に紐材又は帯状材を配置して成り、紐材又は帯状材の上部側は前記基材及び表面布材と一緒に逢着されており、紐材又は帯状材の下部側は前記通路から外部へ導出され、該導出部分にストッパー部材がスライド自在又は位置変更自在に係止されているサイズ調整具を、衣服の脇下内側に取り付けたことを特徴とするサイズ調整可能な衣服である。
【００１８】
前記課題を解決するために本発明が採用した請求項７の手段は、衣服の脇下に所定間隔ごとに表裏面を貫通する孔を設け、該孔に紐材又は帯状材を表裏面交互に行き渡るように挿通し、紐材又は帯状材の下部側にストッパー部材を係止したことを特徴とするサイズ調整可能な衣服である。
【００１９】
前記課題を解決するために本発明が採用した請求項８の手段は、二枚以上の布地からなる衣服において、脇下の裏地に上下部分で二箇所の切れ目を設け、該切れ目に二本の紐材又は帯状材を配置し、これらの紐材又は帯状材どうしの間で且つ前記上下二箇所の切れ目間の範囲の二枚以上の布地を逢着し、また紐材又は帯状材の上部側を前記二枚以上の布地と一緒に逢着し、紐材又は帯状材の下部側を下部側の切れ目から外部へ導出したことを特徴とするサイズ調整可能な衣服である。
【００２０】
前記課題を解決するために本発明が採用した請求項９の手段は、前記外部へ導出された紐材又は帯状材の下部側にストッパー部材がスライド自在又は位置変更自在に係止されている請求項８に記載のサイズ調整具である。
【００２１】
前記課題を解決するために本発明が採用した請求項１０の手段は、二枚以上の布地からなる衣服において、脇下の裏地に上下部分で二箇所の切れ目を設け、該切れ目に一本の紐材又は帯状材を配置し、該紐材又は帯状材の上部側を前記二枚以上の布地と一緒に逢着し、紐材又は帯状材の下部側を下部側の切れ目から外部へ導出し、該導出部にストッパー部材をスライド自在又は位置変更自在に係止したことを特徴とするサイズ調整可能な衣服である。
【発明の効果】
【００２２】
請求項１の発明のサイズ調整具は、同形状の短冊状の基材と表面布材とを重ねて配置し、これらの基材と表面布材を逢着して上下方向に二つの並行した通路を設け、これらの通路に紐材又は帯状材を配置している。そして、紐材又は帯状材の上部側を前記基材及び表面布材と一緒に逢着し、紐材又は帯状材の下部側を前記通路から外部へ導出している。
【００２３】
このサイズ調整具は、衣服の上下方向に縦長になるように逢着されて使用されるか、又は横方向に長くなるように逢着されて使用される。上下方向に縦長とした場合は、サイズ調整具の下方から導出された紐材又は帯状材を絞り上げると衣服の着丈寸法を短くすることができる。この状態で紐材又は帯状材をリボン結び等で締結すればよい。
このようなサイズ調整具であれば、薄い布材のみが二重に重なるだけであり、この部分が極端に凸状になることはなく、幼児等の着用者の体に対してもソフトな感触を与えることができ、安心して着用することができる。また着丈サイズの調整がワンタッチで行えるという利点もある。横方向に長くなるように使用した場合は、胸囲サイズやウェストサイズの調整が同様に可能である。しかも、サイズ調整具を衣服の任意の位置へ逢着することで、あらゆる衣服のサイズ調整が可能である。
【００２４】
請求項２の発明にあっては、外部へ導出された紐材又は帯状材の下部側にストッパー部材をスライド自在に係止しているので、ストッパー部材をスライドさせるだけで、着丈等のサイズ調整が可能であり、サイズ調整動作が極めて簡単である。
【００２５】
請求項３の発明にあっては、前記通路を一本とし、また紐材又は帯状材も一本としている。そして、紐材又は帯状材の通路から外部へ導出された部分にストッパー部材をスライド自在又は位置変更自在に係止している。通路と、紐材又は帯状材とが、それぞれ一本ずつなので非常にシンプルなサイズ調整具となる。
【００２６】
請求項４の発明にあっては、前記請求項１乃至３の発明の基材を、熱を加えると接着性を発現するアイロン接着シート等で構成される。これであれば、アイロンを用いて衣服へ取り付けることができ、簡単に衣服のサイズ調整が可能となる。
【００２７】
請求項５の発明にあっては、請求項１に記載のサイズ調整具を衣服の脇下内側へ取り付けたものである。着丈調整が容易に行え、身体に刺激を与えない安心した衣服となることは前述した通りである。
【００２８】
請求項６の発明にあっては、請求項３に記載のサイズ調整具を衣服の脇下内側へ取り付けたものであり、その効果は前述した通りである。
【００２９】
請求項７の発明にあっては、衣服の脇下に所定間隔ごとに表裏面を貫通する孔を設け、該孔に紐材又は帯状材を表裏面交互に行き渡るように挿通し、紐材又は帯状材の下部側にストッパー部材を係止している。衣服の生地自体をサイズ調整具の主要な構成部材とすることで、少ない部品でサイズ調整可能な衣服の提供が可能となる。
【００３０】
請求項８の発明にあっては、二枚以上の布地からなる衣服において、裏地に上下二箇所の切れ目を入れ、また逢着により二本の通路を設け、該通路に紐材又は帯状材を配置してサイズ調整可能な衣服としたものである。この場合も少ない部品でサイズ調整可能な衣服を構成することができる。
【００３１】
請求項９の発明にあっては、請求項８の発明の通路から外部へ導出された紐材又は帯状材に、スライド自在にストッパー部材を係止したものであり、ワンタッチでサイズ調整が可能な衣服の提供が可能である。
【００３２】
請求項１０の発明にあっては、請求項８の発明の通路と、紐材又は帯状材をそれぞれ一本にしたものであり、極めてシンプルなサイズ調整が可能な衣服の提供が可能となる。
【図面の簡単な説明】
【００３３】
【図１】本発明に係るものであって、通路と、紐材又は帯状材をそれぞれ二本設けたサイズ調整具を示すものであり、図（Ａ）は正面図、図（Ｂ）はサイズを縮小した場合の正面図、図（Ｃ）は図（Ａ）のＸ−Ｘ線断面図である。
【図２】本発明に係るものであって、通路と、紐材又は帯状材をそれぞれ二本設け、紐材又は帯状材の下部側にストッパーを設けたサイズ調整具を示すものであり、図（Ａ）はサイズ調整前の正面図、図（Ｂ）はサイズ調整後の正面図である。
【図３】本発明に係るものであって、通路と、紐材又は帯状材をそれぞれ一本設け、紐材又は帯状材の下部側にボタン・ホール形式のストッパー部材を設けたサイズ調整具を示すものであり、図（Ａ）はサイズ調整前の正面図、図（Ｂ）はサイズ調整後の正面図である。
【図４】本発明に係るものであって、通路と、紐材又は帯状材をそれぞれ一本設け、紐材又は帯状材の下部側に環状のストッパー部材を設けたサイズ調整具を示すものであり、図（Ａ）はサイズ調整前の正面図、図（Ｂ）はサイズ調整後の正面図である。
【図５】本発明に係るものであって、サイズ調整具を衣服の脇下内側へ設けた場合のサイズ調整前の正面図である。
【図６】本発明に係るものであって、サイズ調整具を衣服の脇下内側へ設けた場合のサイズ調整後の正面図である。
【図７】本発明に係るものであって、衣服へ所定間隔ごとに孔を設け、表裏面へ交互に挿通させた紐材又は帯状材とストッパー部材とで、サイズ調整可能とした衣服を示す部分斜視図である。
【図８】本発明に係るものであって、二枚以上の生地からなる衣服へサイズ調整機能を構成した場合の部分斜視図である。
【発明を実施するための形態】
【００３４】
以下に、本発明の構成を図面に示す一実施の形態に基づいて説明すると次の通りである。先ず、図１乃至図４を参照してサイズ調整具について説明する。
図１の図（Ａ）〜図（Ｃ）に示す、サイズ調整具１は、縦長の短冊状の基材２に、該基材２と同形状の表面布材３を重ねて配置し、これらを逢着４している。基材２は、表面布材３と同じ材料の布材を用いてもよく、違う種類及びデザインの布材を用いてもよい。逢着４は、縦長の両端と中央との三箇所で行い、上下方向に貫通する二つの並行した通路５ａ，５ｂを形成している。そして、これらの通路５ａ，５ａに一本の布又はプラスチック等から成る帯状材６の両端６ａ，６ｂを上方から挿通し、下方から外部へ導出している。そのままでは、帯状材６は抜け落ちるので、その上部側を基材２及び表面布材３と共に、逢着７すればよい。なお、帯状材６は、紐材であってもよい。
【００３５】
このようなサイズ調整具１であれば、同図の図（Ｂ）に示すように、下方から絞り上げて任意の位置で帯状材６の両端６ａ，６ｂをリボン結び等で締結すれば、全体の長さが短い状態に維持される。
【００３６】
図２の図（Ａ）及び図（Ｂ）に示すサイズ調整具８は、図１に示すサイズ調整具１の帯状材６を一本のループ状紐材９に代えたものである。このループ状紐材９は、基材２及び表面布材３を逢着する前に、通路５ａ，５ｂとなるべく位置に配置し、その後、両端と中央の三箇所を逢着４すればよい。またループ状紐材９の基材２及び表面布材３から外部へ導出された下部側には、平板状で環状を成し、スライド自在なストッパー部材１０が装着されている。
【００３７】
サイズの調整は、同図の図（Ｂ）に示すように、基材２及び表面布材３を下方から絞り上げ、ループ状紐材９のストッパー部材１０をスライドさせて任意の位置で係止させればよい。これにより、基材２及び表面布材３が元の状態にならないように縮んだ状態を維持することができ、全体の長さを短い状態にサイズ調整することが可能である。
【００３８】
次に、図３に示すサイズ調整具１１について説明する。なお、図１及び図２と同符号は同部材を示す。このサイズ調整具１１は、短冊状の基材２に、該基材２と同形状の表面布材３を重ねて配置し、これらの基材２と表面布材３を逢着４して上下方向に一つの通路５を設け、該通路５に帯状材１２を配置している。帯状材１２の上部側は前記基材２及び表面布材３と一緒に逢着されている。通路５と、帯状材１２が一本になった点を除けば、基本的には図１及び図２の場合と同じである。
但し、このサイズ調整具１１は、帯状材１２の通路５から外部へ導出された下端部にボタン１３を止着し、帯状材１２にボタンホール１４を所定間隔で多数設けている。
【００３９】
サイズの調整は、同図の図（Ｂ）に示すように、基材２及び表面布材３を絞り上げ、帯状材１２をループ状にして任意の位置のボタンホール１４にボタン１３を嵌め込めばよい。これにより、基材２及び表面布材３が元の状態にならないように縮んだ状態を維持することができ、全体の長さを短い状態にサイズ調整することが可能である。
【００４０】
図４に示すサイズ調整具１５は、前記図３に示すサイズ調整具１１の帯状材１２とストッパー部材としてのボタン１３及びボタンホール１４の構成を変更したものである。帯状材１６はストレートなものであり、ストッパー部材１７は環状の平板に半月状の孔１７ａ，１７ｂを上下対称に配置したものである。前記帯状材１６は、半月状の孔１７ａ，１７ｂに挿通されている。
サイズ調整は、同図の図（Ｂ）に示すように、基材２及び表面布材３を絞り上げ、ストッパー部材１７をスライドさせるだけでよい。これにより、基材２及び表面布材３が元の状態にならないように縮んだ状態を維持することができ、全体の長さを短い状態にサイズ調整することが可能である。
【００４１】
このように構成されたサイズ調整具１，８，１１，１５は、図５及び図６に示すように、衣服１８の脇下内側に取り付けられて使用される。図面では、サイズ調整具１を取り付けた場合を示している。取り付けは、逢着してもよく、また加熱することで接着性を発現するアイロン接着シートを用いてアイロンで加熱接着してもよい。
脇下内側に配置した理由は、この位置であれば、左右の脇の下の二箇所のみで全体の着丈調整が可能だからである。図５はサイズ調整前の状態を示し、図６はサイズ調整後の状態を示している。このように簡単に着丈調整が可能である。
【００４２】
図７は、衣服の生地１９を利用してサイズ調整具２０を構成するようにした実施例を示すものである。この場合、衣服生地１９の脇下に所定間隔ごとに表裏面を貫通する孔２１を多数設け、該孔１９に紐材２２又は帯状材を表裏面交互に行き渡るように挿通している。各孔１９には、その縁を補強するリング状部材２３が貼着又は逢着されている。そして、紐材２２又は帯状材の下部側にストッパー部材１７を係止している。ストッパー部材１７は、図４に示すサイズ調整具１５のものと同じである。
着丈サイズの調整は、紐材２２を絞り上げて衣服生地１９を縮め、ストッパー部材１７をスライドさせてその状態を維持するようにすればよい。
【００４３】
図８に示すサイズ調整具２４は、表生地２５と裏生地２６の二枚の生地からなる衣服に直接、設けるようにした実施例を示すものである。この場合、衣服の脇下内側に相当する位置の裏生地２６に、上下部分で二箇所の切れ目２７，２８を設け、該切れ目２７，２８に一本の紐材又は帯状材６を配置し、該紐材又は帯状材６の上部側を前記二枚以上の表生地２５及び裏生地２６と一緒に逢着７している。
また切れ目２７，２８の範囲内で、且つ左右端と中央の三箇所において、二枚の生地２５，２６を縦方向に逢着４し、二本の通路５ａ，５ｂを形成し、前記帯状材６がそれぞれ通路５ａ，５ｂの下端から外部へ導出するようにしている。
【００４４】
サイズ調整は、図１に示す場合と同じ要領で、紐材又は帯状材６ａ，６ｂを絞り上げてリボン結び等で締結すれば、衣服の着丈調整が可能である。
【産業上の利用可能性】
【００４５】
ところで、本発明は上述した実施の形態に限定されるものではなく、適宜の変更が可能である。例えば、図８に示す表生地２５と、裏生地２６の二枚以上の生地からなる衣服の場合、図３及び図４のサイズ調整具と同じように通路と紐材又は帯状材を一本にすることも可能である。
また以上の説明は、着丈調整の場合のみを図示して説明したが、横方向に設置した場合は、胸囲サイズやウェストサイズの調整が可能であり、ズボンの場合は裾サイズや股下寸法等の調整が可能である。
【符号の説明】
【００４６】
１，８，１１，１５，２０，２４…サイズ調整具
２…基材
３…表面布材
４…逢着部分
５，５ａ，５ｂ…通路
６，６ａ，６ｂ…紐材又は帯状材
７…逢着部分
９…ループ状紐材
１０，１３，１７…ストッパー部材
１８…衣服
２５…表生地
２６…裏生地
【図１】
2016216867.tif 000003
【図２】
2016216867.tif 000004
【図３】
2016216867.tif 000005
【図４】
2016216867.tif 000006
【図５】
2016216867.tif 000007
【図６】
2016216867.tif 000008
【図７】
2016216867.tif 000009
【図８】
2016216867.tif 000010